(57)【特許請求の範囲】
【請求項１】
ピアノのハンマーウッドであって、
その後端に、その長さ方向に直交する平面である後端平面が存在しないか、後端平面が存在するにしても、それがハンマーシャンクと接続される部分におけるその長さ方向に直交する断面よりも、その断面積が小さくなっており、
弦に向かってハンマーウッドが進行するときに、その後端の周囲に、空気による乱流が生じにくいようにされているとともに、
前記ハンマーシャンクと接続される部分よりも後端寄りの所定の部分において、その後端に近づくに連れその幅がその直前のハンマーウッドの幅と同じか小さくなり、且つその後端に近づくに連れその厚さがその直前のハンマーウッドの厚さと同じか小さくなるようになっている、
ハンマーウッド。
【請求項２】
ピアノのハンマーウッドであって、
その後端に、その長さ方向に直交する平面である後端平面が存在しないか、後端平面が存在するにしても、それがハンマーシャンクと接続される部分におけるその長さ方向に直交する断面よりも、その断面積が小さくなっており、
弦に向かってハンマーウッドが進行するときに、その後端の周囲に、空気による乱流が生じにくいようにされているとともに、
前記ハンマーシャンクと接続される部分よりも後端寄りの所定の部分における平面視した場合におけるその幅が、その後端に近づくに連れて小さくなるようになっており、
且つ、平面視した場合におけるその幅が、その後端に近づくに連れて小さくなるようになっている部分では、その後端に近づくに連れてその幅が小さくなる比率が増すようになっている、
ハンマーウッド。
【請求項３】
前記ハンマーシャンクと接続される部分よりも後端寄りの所定の部分における平面視した場合における形状が、長さ方向に走る仮想の中心線を境目として線対称となっている、
請求項１〜２のいずれかに記載のハンマーウッド。
【請求項４】
前記ハンマーシャンクと接続される部分よりも後端寄りの所定の部分におけるその両側面が、滑らかな曲面になっている、
請求項１〜３のいずれかに記載のハンマーウッド。
【請求項５】
前記ハンマーシャンクと接続される部分よりも後端寄りの所定の部分における側面視した場合におけるその厚さが、その後端に近づくに連れて小さくなるようになっている、
請求項１記載のハンマーウッド。
【請求項６】
前記ハンマーシャンクと接続される部分よりも後端寄りの所定の部分におけるその上面が、滑らかな曲面になっている、
請求項１〜５のいずれかに記載のハンマーウッド。
【請求項７】
請求項１〜６のいずれかに記載のハンマーウッドと、
前記ハンマーウッドの前記ハンマーシャンクと接続される部分より前端寄りの所定の部分を覆うハンマーフェルトと、
を備えてなる、ピアノのハンマーヘッド。
【請求項８】
請求項１〜６のいずれかに記載のハンマーウッドと、
前記ハンマーウッドの前記ハンマーシャンクと接続される部分より前端寄りの所定の部分を覆うハンマーフェルトと、
前記ハンマーウッドと接続されたハンマーシャンクと、
を備えてなる、ピアノのハンマー。
【請求項９】
ハンマーの少なくとも１つとして、
請求項１〜６のいずれかに記載のハンマーウッドと、
前記ハンマーウッドの前記ハンマーシャンクと接続される部分より前端寄りの所定の部分を覆うハンマーフェルトと、
前記ハンマーウッドと接続されたハンマーシャンクと、
を備えてなるピアノのハンマーを有する、
ピアノのアクション。
【請求項１０】
ハンマーの少なくとも１つとして、
請求項１〜６のいずれかに記載のハンマーウッドと、
前記ハンマーウッドの前記ハンマーシャンクと接続される部分より前端寄りの所定の部分を覆うハンマーフェルトと、
前記ハンマーウッドと接続されたハンマーシャンクと、
を備えてなるピアノのハンマーを有する、
アクションを含んでいる、ピアノ。
【発明の詳細な説明】
【技術分野】
【０００１】
本発明は、ピアノのアクション用のハンマーに含まれるハンマーヘッドに関する。
【背景技術】
【０００２】
ピアノは多数の弦を備えており、各弦を叩いて発音を行うための構造を備えている。それは広く知られているように、アクションと呼ばれる。
ピアノのアクションは、演奏者がピアノの鍵を押したときに、その鍵の動作をハンマーヘッドに伝える。演奏者がピアノの鍵を押すとその動きはハンマーヘッドに伝えられ、ハンマーヘッドは弦に向かって進んで結果的に弦を叩く。それによりピアノは発音するのである。ピアノのアクションは長い歴史の中で様々な目的のために改良されてきているが、ハンマーヘッドが弦を叩くことにより発音するというピアノの発音の原理は、ピアノの長い歴史の中でも変わっていない。
ピアノには、多数の弦がピアノで発音させる音階の数だけ横並びで設けられる。鍵、ハンマーヘッド、及びそれらを繋ぐアクションはそれぞれ、各弦を打つために、各弦と対応付けられ、弦と同数だけ、横並びの状態でピアノに設けられる。
【０００３】
ピアノのアクションに含まれるピアノのアクション用のハンマーは、多くの場合３つの部材でできている。３つの部材は、ハンマーシャンク、ハンマーウッド、及びハンマーフェルトである。
これらのうち、ハンマーシャンクと、ハンマーウッドは、ある程度の剛性を有する素材でできており、場合によっては樹脂、金属等で構成される場合もあるが、一般的には木材でできている。他方ハンマーフェルトは、柔軟性を有する素材でできており、場合によってはゴム等を用いて作られることもあるが、一般的にはその名からわかるようにフェルトでできている。もっともハンマーフェルトは、複数種類の素材を用いて、複数の層で構成されることもある。
これらのうちハンマーウッド及びハンマーフェルトを併せたものを、本願ではハンマーヘッドと定義する。従来のアップライトピアノにおけるアクションに含まれる典型的なハンマーヘッドを図１０に示す。
【０００４】
ハンマーシャンクはハンマーウッド３４を支持するための棒状体である。多くの場合、ハンマーシャンクは断面円形の棒状体であるが、断面形状はそれには限らない。ハンマーシャンクは、その先端側にハンマーウッド３４が固定され、且つその基端側がアクションの中の適切な部材に回転可能に軸支される。例えば、アップライトピアノの場合であれば、ハンマーシャンクは、回転可能にされたバットにその基端が固定され、バットとともに回転するようにされるのが通常である。ハンマーシャンクが、その基端側を軸とした回転運動を行うことにより、ハンマーウッド３４は弦に向かって進み、また弦から離れるように後退する。
ハンマーウッド３４は、ハンマーフェルト３６をその前端側（弦を打つ側）に固定するための部材である。ハンマーウッド３４は、所定の長さを有する棒状体であり、多くの場合、その長手方向がハンマーシャンクと略直交するようにして、ハンマーシャンクの先端に固定される。ハンマーウッド３４のハンマーシャンクに固定される位置は、多くの場合、その後端寄りの部分である。ハンマーウッド３４は大抵、その後端側の一定の範囲は断面矩形（若しくは正方形）の直方体形状とされる。ハンマーウッド３４の前端側は、その上下方向の厚さが、前端に近づくに連れて小さくなる先細りの形状をしている。ハンマーウッド３４の幅はその長さ方向の全長にわたって同じであり、ハンマーウッド３４の前端側は、その先端に近づくに連れてその厚さは減じていくものの、その幅は変わらないように構成されるのが通常である。なお、特にアップライトピアノの場合には、ハンマーシャンクは、断面矩形とされたハンマーウッド３４の後端側の部分の底面に、略垂直に又は斜めに（ハンマーウッド３４の側面から見た場合には略垂直であるが、ハンマーウッド３４の前方又は後方から見た場合には略垂直ではない角度。）で取付けられる場合がある。他方、グランドピアノの場合には、ハンマーシャンクは、ハンマーウッド３４の底面に略垂直に取付けられる。いずれの場合においても、本願では、ハンマーシャンクが取付けられる部分を、ハンマーウッド３４の「下（側）」或いは「底面」と定義する。
ハンマーフェルト３６は、ハンマーウッド３４のその厚さが減じていくように構成された部分を含むハンマーウッド３４の先端側の上下を、ハンマーウッド３４の幅と等しい幅で覆うようにされている。
上述したように通常、ハンマーウッド３４の幅はその長さ方向のすべての部分で一定である。ハンマーウッド３４とハンマーフェルト３６により構成されるハンマーヘッド３５の幅は、ハンマーへッド３４の幅により規定される一定の幅とされる。つまり、ハンマーヘッド３４に取付けられるハンマーフェルト３６の幅は、ハンマーウッド３４の幅と同じにされる。ハンマーヘッド３５には、狭い間隔で多数横並びにされた弦の中から予定された弦を必ず打つことができるだけの幅が与えられる必要があるが、他方、それが打つことが予定された弦以外の隣接する他の弦を打たないようにするための幅の狭さが必要である。ハンマーヘッド３５は、そのような条件を満たすように構成されている。
【０００５】
ピアノのハンマーは以上のように構成される。また、ピアノのハンマーの以上のような構成は、ピアノがアップライトピアノであろうと、グランドピアノであろうと変わらない。
【発明の概要】
【発明が解決しようとする課題】
【０００６】
以上のようなピアノのハンマーは、広く普及しており、ピアノを発音させるための機能として十分なものであると考えられている。実際、日本の特許庁から過去５年の間に出願公開されたピアノ関連の特許出願のうち、発明の名称に「ハンマー」の語を含むものは５件程度である。
つまり、ピアノのハンマーには殆ど改良の余地はないと、一般には考えられている。
【０００７】
しかしながら、本願発明者の研究によれば、ピアノのハンマーにも未だに改良すべき点が残っている。それは以下のようなものである。
本願発明者はピアノのハンマーを超高速度で撮影してみた。そうすると、ハンマーの動きについて従来知られていない現象を知ることができた。その基端側の軸に軸支されて、ある平面内を進み或いは後退するように回転運動を行うと信じられていたハンマー及びハンマーヘッド３５は、実際には、その平面からずれ、特に弦に向かって進むときにおいては、大げさに言うと蛇行しながら弦に向かうことがある、というのが本願発明者が得た新たな知見である。
ハンマーの弦に対する打突は、まさにピアノの発音に関する。ハンマーの幅方向の中心で弦を叩けるかどうかは、ピアノの発音の良否に強く関係する。そしてもちろん、弦に向かって進むハンマーが蛇行するというのは、ピアノの発音が悪くなる場合があるということを意味する。例えばピアノの弦の中には、横並びの数本（例えば３本）の細い弦をまとめて１本の弦として扱い、それら数本の弦をまとめて１つのハンマーで叩くようになっているものが存在するが、そのような弦においてはハンマーが本来の軌道から横にずれると、弦にハンマーが到達したときにすべての数本の弦を均等に叩けないということが生じ得る。
【０００８】
本願発明は、ハンマーが弦に向かうときに、ハンマーヘッドが予定された平面内から外れないように進むことができるようにすることを、その課題とする。
【課題を解決するための手段】
【０００９】
本願発明者の考えによれば、ハンマーヘッドが蛇行するのは、以下のような理由による。
ハンマーヘッドが弦に向かって進行するとき、ハンマーウッドの後端の周囲には、空気による乱流が生じる。おそらくランダムに生じるこの乱流が生じる力により、ハンマーヘッドは蛇行するのである。ピアノのハンマーヘッドが弦に向かって進む速さは、かなりの速さで進む。かかるかなりの速さで進むハンマーヘッドにおけるハンマーウッドの後端に、進行方向に垂直な平面である後端面３４Ｘが存在すると、その平面の各頂点には３つの平面（例えば、後面と上面と側面）が集まることになるので、その周囲に乱流が生じることは十分にあり得ることである。
この乱流がハンマーヘッドの蛇行の原因であり、上述の乱流の発生を無くすことができれば、ハンマーヘッドはある平面内でより理想的な軌道に近い円運動を行うことができ、そしてピアノの音はより良くなると本願出願人は考えた。
以上のような観点から、以下に説明する本願発明はなされた。
【００１０】
本願発明者は以下の発明を提案する。
本願発明は、ピアノのハンマーウッドである。本願でいうピアノは、グランドピアノであると、アップライトピアノであるとを問わない。
そして、このハンマーウッドは、その後端に、その長さ方向に直交する平面である後端平面が存在しないか、後端平面が存在するにしても、それがハンマーシャンクと接続される部分におけるその長さ方向に直交する断面よりも、その断面積が小さくなっており、弦に向かってハンマーウッドが進行するときに、その後端の周囲に、空気による乱流が生じにくいようにされている。
かかるハンマーウッドであれば、乱流が生じる原因である後端平面が存在しないか或いは小さいので、ハンマーウッド或いはそれを含むハンマーヘッドが弦に向かって進行するときに生じる上述の乱流の発生を抑制することが可能となる。したがって、このハンマーウッドを用いたハンマーヘッドであれば、ある平面内でより理想的な軌道に近い円運動を行うことができ、そしてピアノの音を良くすることができるという効果を生じる。
例えば、従来のハンマーウッドの後端側は直方体形状であった。その後端の平面、つまり後端平面の４つの角を丸める処理をしただけでも、乱流の発生は抑制される。
なお、本願発明のハンマーウッドの前方側の特にハンマーフェルトでその上下が覆われる部分の形状は、従来のハンマーウッドの形状を踏襲することができる。
【００１１】
本願発明のハンマーウッドは、前記ハンマーシャンクと接続される部分よりも後端寄りの所定の部分において、その後端に近づくに連れその幅がその直前のハンマーウッドの幅と同じか小さくなり、且つその後端に近づくに連れその厚さがその直前のハンマーウッドの厚さと同じか小さくなるようになっていても構わない。
ハンマーシャンクと接続される部分よりも後端寄りの所定の部分における幅が、その直前の幅と同じか小さくなるというのは、その所定の部分においてハンマーウッドの幅が広くなったり狭くなったりすることがない、即ちハンマーウッドを平面視した場合においてその幅方向で波打つような形状になることがない、ということである。ハンマーシャンクと接続される部分よりも後端寄りの所定の部分における厚さが、その直前の厚さと同じか小さくなるというのは、その所定の部分においてハンマーウッドの厚さが厚くなったり薄くなったりすることがない、即ちハンマーウッドを側面視した場合においてその厚さ方向で波打つような形状になることがない、ということである。幅方向においても、厚さ方向においても、上述の如き波打つような凹凸がハンマーウッドの表面に存在すると、乱流の発生の原因となる。
そのような凹凸をなくすことで、本願発明のハンマーウッドを含むハンマーヘッドは、ある平面内でより理想的な軌道に近い円運動を行うことがより良くできるようになり、そしてピアノの音を良くすることがでより良くできるようになるという効果を生じる。
【００１２】
本願発明のハンマーウッドは、前記ハンマーシャンクと接続される部分よりも後端寄りの所定の部分における平面視した場合におけるその幅が、その後端に近づくに連れて小さくなるようになっていてもよい。これにより、本願発明の上述の効果がより強調されることになる。
ハンマーシャンクと接続される部分よりも後端寄りの所定の部分における平面視した場合におけるその幅が、その後端に近づくに連れて小さくなるようになっている場合、平面視した場合におけるその幅が、その後端に近づくに連れて小さくなるようになっている部分では、その後端に近づくに連れてその幅が小さくなる比率が増すようになっていても構わない。ハンマーウッドを平面視した場合における形状を、後端に向かって鋭くなるような形状とすることにより、本願発明の上述の効果が更に強調されることになる。
【００１３】
本願発明のハンマーウッドは、前記ハンマーシャンクと接続される部分よりも後端寄りの所定の部分における平面視した場合における形状が、長さ方向に走る仮想の中心線を境目として線対称となっていても構わない。
ハンマーウッドの後端寄りの所定の部分を左右対称の形状とすることにより、ハンマーウッドの後端の周辺に乱流が生じることをより抑制することができるようになる。
【００１４】
本願発明のハンマーウッドは、前記ハンマーシャンクと接続される部分よりも後端寄りの所定の部分におけるその両側面が、滑らかな曲面になっていても構わない。
このような形状をハンマーウッドに与えることにより、ハンマーウッドの後端の周辺に乱流が生じることをより抑制することができるようになる。
【００１５】
本願発明のハンマーウッドは、前記ハンマーシャンクと接続される部分よりも後端寄りの所定の部分における側面視した場合におけるその厚さが、その後端に近づくに連れて小さくなるようになっていてもよい。
ハンマーウッドのハンマーシャンクと接続される部分よりも後端寄りの厚さは一定でも構わないが、ハンマーシャンクと接続される部分よりも後端寄りの所定の部分における側面視した場合におけるその厚さが、その後端に近づくに連れて小さくなるようにすることにより、上述した本願発明の効果がより強調される。
ハンマーシャンクと接続される部分よりも後端寄りの所定の部分における側面視した場合におけるその厚さが、その後端に近づくに連れて小さくなっている場合、ハンマーウッドの前記ハンマーシャンクと接続される部分よりも後端寄りの所定の部分におけるその上面が、滑らかな曲面になっていても構わない。
このような形状をハンマーウッドに与えることにより、ハンマーウッドの後端の周辺に乱流が生じることをより抑制することができるようになる。
【００１６】
本願発明者は、以上のハンマーウッドと同様の効果を生じるものとして、以下のハンマーヘッド、ハンマー、アクション、及びピアノをも、本願発明の一態様として提案する。
その一例となるハンマーヘッドは、以上説明した本願発明のいずれかのハンマーウッドと、前記ハンマーウッドの前記ハンマーシャンクと接続される部分より前端寄りの所定の部分を覆うハンマーフェルトと、を備えてなる、ピアノのハンマーヘッドである。
その一例となるハンマーは、以上説明した本願発明のいずれかのハンマーウッドと、前記ハンマーウッドの前記ハンマーシャンクと接続される部分より前端寄りの所定の部分を覆うハンマーフェルトと、前記ハンマーウッドと接続されたハンマーシャンクと、を備えてなる、ピアノのハンマーである。
その一例となるアクションは、ハンマーの少なくとも１つとして、以上で説明した本願発明のいずれかのハンマーウッドと、前記ハンマーウッドの前記ハンマーシャンクと接続される部分より前端寄りの所定の部分を覆うハンマーフェルトと、前記ハンマーウッドと接続されたハンマーシャンクと、を備えてなるピアノのハンマーを有する、ピアノのアクションである。
その一例となるピアノは、ハンマーの少なくとも１つとして、以上で説明した本願発明のいずれかのハンマーウッドと、前記ハンマーウッドの前記ハンマーシャンクと接続される部分より前端寄りの所定の部分を覆うハンマーフェルトと、前記ハンマーウッドと接続されたハンマーシャンクと、を備えてなるピアノのハンマーを有する、アクションを含んでいる、ピアノである。
上述のアクションとピアノにおいては、それらに含まれるハンマーウッドの少なくとも１つが以上で説明した本願発明のいずれかのハンマーウッドであれば良いが、それらに含まれるハンマーウッドのすべてが以上で説明した本願発明のいずれかのハンマーウッドであっても良いし、その方が好ましい。
【図面の簡単な説明】
【００１７】
【図１】本願発明の一実施形態におけるアップライトピアノの斜視図。
【図２】図１に示したアップライトピアノに含まれるアクションを示す側面図。
【図３】図１に示したアップライトピアノに含まれるアクションを示す側面図。
【図４（Ａ）】図１に示したアップライトピアノに含まれるアクションのハンマーヘッドの部分を拡大して示す斜視図。
【図４（Ｂ）】図１に示したアップライトピアノに含まれるアクションのハンマーヘッドの部分を拡大して示す、図４（Ａ）とは異なる角度から見た斜視図。
【図５】図１に示したアップライトピアノのアクションに含まれるハンマーの構成を示す（Ａ）平面図、（Ｂ）側面図、（Ｃ）背面図。
【図６】変形例１のアップライトピアノのアクションに含まれるハンマーの構成を示す（Ａ）平面図、（Ｂ）側面図、（Ｃ）背面図。
【図７】変形例２のアップライトピアノのアクションに含まれるハンマーの構成を示す（Ａ）平面図、（Ｂ）側面図、（Ｃ）背面図。
【図８】変形例３のアップライトピアノのアクションに含まれるハンマーの構成を示す（Ａ）平面図、（Ｂ）側面図、（Ｃ）背面図。
【図９】変形例４のアップライトピアノのアクションに含まれるハンマーの構成を示す（Ａ）平面図、（Ｂ）側面図、（Ｃ）背面図。
【図１０】従来のアップライトピアノのアクションにおけるハンマーヘッドの部分を拡大して示す斜視図。
【発明を実施するための形態】
【００１８】
以下、本発明の好ましい実施形態を、図面を参照しながら詳細に説明する。
【００１９】
この実施形態では、ピアノとして、アップライトピアノの構成について説明する。
もっともこの実施形態におけるアップライトピアノは、そのハンマーウッドの構成を除いてすべて、従前のアップライトピアノとその構成を同じくする。
それ故、本来であれば、そのハンマーウッドの構成を除いて、アップライトピアノの構成について説明を行うまでもないが、一応アップライトピアノの全体的な構成についても説明を行う。
また、以下に説明するアップライトピアノのハンマーウッドは、そのままグランドピアノのハンマーウッドとしても流用することができる。グランドピアノの構成については、その説明を省略する。
【００２０】
以下、本発明の一実施形態であるアップライトピアノの構成を説明していく。なお、以下の説明において、「時計回り」あるいは「反時計回り」というときは、図２から図３における時計回りあるいは反時計回りのことをいうものとする。
また、この実施形態の説明において、前後の概念はアップライトピアノに向かった演奏者の頭部の前後に倣うものとする。
【００２１】
図１に、アップライトピアノの概観を表した斜視図を示す。この図においては、アップライトピアノのアクションを隠すための化粧板であるいわゆる前パネルが外されている。
よく知られているように、アップライトピアノは横並びに配列された多数の鍵１を備えている。
また、アップライトピアノは、多数の弦９０を有している。鍵１と弦９０の数は同数である。多数の弦９０は、その長さを稼ぐために斜めに張り渡されている。向かって左側の所定本数の弦９０は図１で向かって右下がりに、向かって右側の残りの弦９０は図１で向かって左下がりに、それぞれ張り渡されている。右下がりの弦９０と左下がりの弦９０とはその下方で交差しており、右下がりの弦９０が図１における手前側に位置している。このような弦９０の張り渡し方は、交差弦と呼ばれ、極普通のものである。
図中３２がハンマーである。ハンマー３２は、鍵１及び弦９０と同数であり、横並びに配列されている。
左から順にならぶハンマー３２、鍵１、及び弦９０は、左からの順番が同じもの同士で対応付けられている。例えば、一番左の鍵１を押すと一番左のハンマー３２が一番左の弦９０を打ち、左から二番目の鍵１を押すと左から二番目のハンマー３２が左から二番目の弦９０を打つが如きである。
【００２２】
図２〜３にアップライトピアノのアクション７を示す。これら各図では代表して、一組の鍵１及び弦９０と、それらを繋ぐアクション７（ハンマー３２はアクションに含まれる。）のみを図示する。
【００２３】
鍵１は、その中央部が、筬３に立設されたバランスピン（図示せず）に、回転可能に支持されている。鍵１の図２等でその記載が省略されている、図２等の右側外に位置する記載の省略された後端を演奏者が押し込むと、鍵１の図２等で左側に位置する前端が、鍵１の全体がバランスピンを軸として行うシーソー運動によって持ち上げられるようになっている。
筬３の左右端部にはブラケット（図示せず）がそれぞれ形成されている。左右のこれらのブラケットの間には、センターレール４が架け渡されて固定されている。
鍵１の前端部上方にアクション７が形成されている。アクション７は、弦９０を打つための中心的な部材として、ウィッペン８、ジャック１８、バット２５、及びハンマー３２を有する。
【００２４】
ウィッペン８は、アップライトピアノの前後方向に伸びる部材であり、鍵１の前端が持ち上げられたときにその全体が持ち上げられるようになっている。ジャック１８は、側面視略Ｌ字型をした部材であり、ウィッペン８が持ち上げられたときに、それと一緒に上方に移動するようになっている。ウィッペン８の上端の後述する突き上げ部が、バット２５の後述する被突き上げ部を下から突き上げることにより、バット２５が回転するようになっており、バット２５が回転することにより、バット２５にその基端が固定されているハンマー３２が回転する、というのがハンマー３２が回転する理屈の要点である。
以下、詳述する。
【００２５】
上述したセンターレール４の下側には、ウィッペンフレンジ１０が設けられている。ウィッペン８はその前端寄りの所定の部位で、ウィッペンフレンジ１０に回転可能に軸支されている。ウィッペン８の前端部にはスプーン９が立設されている。
ウィッペン８はウィッペンフレンジ１０よりも後側におけるその下側にヒール１１を有しており、また、その上側にジャックフレンジ１２を有している。ジャックフレンジ１２は、ウィッペン８に対して回転可能として、ウィッペン８とジャック１８とを接続するためのものである。ウィッペン８のヒール１１は、鍵１の前端に固定されたキャプスタンボタン２を介して、鍵１の前端部の上に載っている。これにより、鍵１が持ち上げられたときに、キャプスタンボタン２を介してウィッペン８が持ち上げられるようになっている。
ウィッペン８の後端部には、バックチェックワイヤ１４が立設されており、その先端にバックチェック１５が取り付けられている。
また、ウィッペン８の更に後端部には、ブライドルワイヤ７１が立設されている。ブライドルワイヤ７１と、後述するキャッチャーとの間には、例えば紐又は帯であるブライドルテープ７２が、初期状態ではやや弛んだ状態で張り渡されている。
【００２６】
ジャック１８は、後方に突出するジャックテール１９と、ジャックテール１９の前端から上方向に延びる突き上げ部２０とを有し、ジャックテール１９と突き上げ部２０とが側面視で略Ｌ字型をなすようにされている。ジャックテール１９と突き上げ部２０とがなす角部において、ジャック１８はジャックフレンジ１２に回転可能に軸止されている。ジャックテール１９の後側の端部と、ウィッペン８のジャックフレンジ１２よりも後側の部分との間に、それらにその上端と下端が接続された状態で、ジャックスプリング１３が設けられている。
ジャックスプリング１３は、ジャックテール１９を上方に付勢することにより、ジャック１８に対して反時計回り方向に回転する力を加えるバネであり、通常はコイルスプリングである。
【００２７】
ジャック１８のジャックテール１９の上方に、レギュレーティングボタン４７が設けられている。レギュレーティングボタン４７は、レギュレーティングレール４８に螺合するレギュレーティングスクリュー４９の先端に支持されている。レギュレーティングレール４８は、アップライトピアノの幅方向の全長に渡って伸びる長尺の部材である。レギュレーティングレール４８はフォークスクリュー５０によりセンターレール４に固定的に取り付けられている。
【００２８】
ジャック１８の突き上げ部２０の後方に、アップライトピアノの幅方向の全長に渡って伸びる長尺の部材であるジャックストップレール５３がある。ジャックストップレール５３は、ジャックストップレールスクリュー５４によりセンターレール４に固定して取り付けられている。ジャックストップレール５３は、ウィッペン８が上昇するときに時計回りに回転するジャック１８の突き上げ部２０を受け止めることによりジャック１８の回転を中止させるものである。
【００２９】
ハンマー３２は、弦９０を打つためのものである。ハンマー３２の構成は、ハンマーウッド３４の構成を除いて従来のハンマー３２と同じで良く、この実施形態ではそうされている。ハンマー３２は、これには限られないがこの実施形態では、ハンマーフェルト３６を除いて木製である。なお、ハンマー３２の特にハンマーウッド３４の構成については、追って詳述するが、以下ハンマー３２の構成について簡単に述べる。
ハンマー３２は、ハンマーシャンク３３とハンマーウッド３４と、ハンマーフェルト３６とを有している。ハンマーウッド３４は、ハンマーシャンク３３の上端から前方に延びる部材である。ハンマーフェルト３６は直接弦９０を打突する部材であり、ハンマーウッド３４の前端の上下を跨ぐようにしてハンマーウッド３４に取付けられている。ハンマーウッド３４とハンマーフェルト３６とを併せたものがハンマーヘッド３５である。
【００３０】
棒状体、より詳細にはこれには限られないがこの実施形態では断面円形の棒状体であるハンマーシャンク３３の基端は、バット２５に接続されている。バット２５は、その前側面の下の部分で、センターレール４の後側上部に設けられたバットフレンジ２６に回転可能に軸止されている。これによりバット２５は、回転可能となり、バット２５に接続されたハンマーシャンク３３を含むハンマー３２も回転可能となっている。バット２５は、その下側面に被突き上げ部２７を有している。被突き上げ部２７は、ジャック１８が上方向に移動したときに、ジャック１８の突き上げ部２０の上端によりその下側から突き上げられる部分である。ジャック１８の突き上げ部２０で被突き上げ２７を突き上げられることにより、バット２５は反時計回りに回転するようになっており、それに伴って回転するハンマー３２のハンマーヘッド３５が弦９０を打つようにされている。
バット２５の被突き上げ部２７には、革製のスキン７５が貼られている。バット２５の後側面の上部には、キャッチャーシャンク２８を介してキャッチャー２９が取り付けられている。キャッチャー２９は、上述したバックチェック１５との組合せにより、バット２５の回転を止めるものである。バット２５が初期位置にあるときには、キャッチャー２９はバックチェック１５から離れており、バット２５がジャック１８に突き上げられて反時計回りに回転し、それと同時にウィッペン８の後端が反時計回りに回転すると、キャッチャー２９はバックチェック１５に捕らえられる。その後ウィッペン８の全体が時計回りに回転しつつ下降することにより、その後端が時計回りに回転しながら大きく下がると、バックチェック１５に捕らえられたキャッチャー２９は、素早くバックチェック１５から離れて再び回転可能となるようになっている。バット２５の後側面のうちキャッチャーシャンク２８の付け根より下にある部分にも、例えば革製のスキン７６が貼られている。すなわち、バット２５において、被突き上げ部２７よりも後方側かつ上方側にある面にスキン７６が貼られている。スキン７５の後端とスキン７６の下端は連続しており、スキン７５とスキン７６とは結果として一体となっている。
バット２５の前側の面には、バットスプリング２５Ａが設けられている。バットスプリング２５Ａは、バット２５に対して常に、時計回りの力を与えるためのバネである。バットスプリング２５Ａからの力により、弦９０に向かってハンマー３２が回転するに際してハンマー３２とともに反時計回りに回転したバット２５は素早く元の位置に復帰するようになっている。
【００３１】
アクション７は、またダンパー３９を備えている。ダンパー３９は、弦９０の振動を静止するための機構である。
ダンパー３９は、ダンパーレバー４０、ダンパーワイヤー４３、ダンパーヘッド４４を有する。
ダンパーレバー４０は、その中央部で、センターレール４の前側上部に固定したダンパーフレンジ４１に回転可能に軸止されている。ダンパーレバー４０は、その後側面下端部が、スプーン９の先端と対向している。ダンパーヘッド４４は、ダンパーワイヤー４３を介してダンパーレバー４０の上端に取り付けられている。ダンパーヘッド４４は、ダンパーレバー４０に取り付けられたダンパースプリング４２から力を受けて弦９０に圧接するようになっている。
【００３２】
ハンマーシャンク３３の後方にハンマーストップレール５５があり、ダンパーワイヤー４３の後方にダンパーストップレール５６がある。ハンマーストップレール５５とダンパーストップレール５６は、アップライトピアノの左右に存在する前述のブラケットの間にそれぞれ架け渡されて固定されている。
【００３３】
次に、このアップライトピアノの使用方法、及び動作について説明する。
先ず、鍵１が休止状態にある場合について説明する（図２を参照）。鍵１が休止状態にある場合、鍵１の後端は最も上昇した位置にあり、鍵１の前端は最も下降した位置にある。そして、ウィッペン８も最も下降した位置にある。
ジャック１８の突き上げ部２０の突端は、バット２５の被突き上げ部２７の下に入って係合している。ジャックテール１９はレギュレーティングボタン４７から離れている。突き上げ部２０とジャックストップレール５３との間は離れている。
またこのとき、バット２５と接続されたキャッチャー２９は、最も下降した位置にあり、キャッチャー２９はバックチェック１５から離れている。ハンマーシャンク３３はハンマーストップレール５５に接した状態となっており、ハンマーヘッド３５及びハンマーウッド３４は弦９０から最も離れた位置にある。また、ダンパーヘッド４４はダンパースプリング４２の力により弦９０に圧接している。
【００３４】
次に、演奏者が鍵１を押鍵し、鍵１の後端部が休止状態の位置から最も押し下げられた位置まで下降する場合について説明する（図３を参照）。
演奏者が鍵１を下に押すと、鍵１が時計回りの方向に回転し、鍵１の前端部が上昇する。そうすると鍵１の前端部が、キャプスタンボタン２を介してウィッペン８のヒール１１を突き上げ、ウィッペン８がウィッペンフレンジ１０を中心として反時計回りの方向に回転しつつ上昇する。
ウィッペン８が回転を開始すると、直ちに、ウィッペン８の後端に設けられたスプーン９がダンパーレバー４０の下端を前方に押し、ダンパーレバー４０がダンパーフレンジ４１を中心として時計回りの方向に回転するのに伴って、ダンパーヘッド４４が弦９０から離れる。これにより、弦９０は振動できる状態となる。
ウィッペン８の回転と上昇に伴って、ジャック１８がウィッペン８と共に上昇する。そしてジャック１８が上昇すると、ジャック１８の突き上げ部２０の上端が、バット２５の被突き上げ部２７を突き上げる。
【００３５】
突き上げ部２０の突端が被突き上げ部２７を突き上げた後も、ウィッペン８は上昇と反時計回りの回転とをし続ける。突き上げ部２０の突端が被突き上げ部２７を突き上げた後に、ジャックテール１９がレギュレーティングボタン４７に当たる。その後も、ウィッペン８は回転と上昇を続ける。そうすると、レギュレーティングボタン４７がジャックテール１９を上から押さえるので、ジャック１８がジャックフレンジ１２を中心として時計回りの方向に回転し、突き上げ部２０の突端が被突き上げ部２７の下から後方に離脱し、突き上げ部２０と被突き上げ部２７との係合が解除される。これをレットオフという。レットオフした突き上げ部２０は、ジャックストップレール５３に当接し、その回転を止める。
【００３６】
バット２５は、その被突き上げ部２７をジャック１８の突き上げ部２０によって突き上げられた反動により、バットフレンジ２６を中心として反時計回りの方向に回転を開始する。それに伴い、バット２５と接続された、ハンマー３２が反時計回りの方向に回転する。ハンマー３２が回転すると、ハンマーヘッド３５は弦９０に向かって進む。そして、ハンマーヘッド３５は弦９０を打つ。弦９０は、ハンマーヘッド３５のハンマーフェルト３６が衝突して振動することにより、音を発する。
【００３７】
ハンマーウッド３４が弦９０を打った後、ハンマー３２は反転して時計回りの方向に回転する。そして、キャッチャー２９がバックチェック１５に捕まり、ハンマー３２は停止する。このとき、鍵１の後端は休止状態の位置から最も下降しており、鍵１の前端は休止状態の位置から最も上昇している。また、突き上げ部２０の突端は、被突き上げ部２７よりも上方にあり、スキン７６の後側に位置している。
【００３８】
次に、演奏者が鍵１を離鍵し、鍵１の後端部が最も押し下げられた位置から上昇する場合について説明する。
演奏者が鍵１を離鍵すると、鍵１が反時計回りの方向に回転し、鍵１の前端部が下降を開始する。鍵１の前端部が下降すると、ウィッペン８が、時計回りの方向に回転しつつ下降する。ウィッペン８が下降を開始すると、直ちに、キャッチャー２９がバックチェック１５から離れ、ハンマー３２は回転可能になる。
【００３９】
鍵１の後端部が最も押し下げられた位置から休止状態の位置に向かってある程度戻ると、ジャックテール１９はレギュレーティングボタン４７に接するだけとなり、レギュレーティングボタン４７がジャックテール１９を上から押さえつける力がなくなる。そうすると、元々常にジャック１８に対して反時計回りの力を与えているのに加えて、その撓みが大きくなったジャックスプリング１３は、ジャック１８に反時計回りで回転するような力をより大きく与える。これによりジャック１８は、再びバット２５の被突き上げ部２７の下へと戻っていく。
他方、ハンマー３２及びそれと接続されたバット２５はバットスプリング２５Ａがバット２５に与える力と、ブライドルテープ７２に入った張力によりキャッチャー２９が引き戻される力とにより、時計回りに回転し元の位置に戻る。ハンマー３２及びバット２５が元の位置に戻るのと前後して、バット２５の被突き上げ部２７の下に、ジャック１８の突き上げ部２０が戻って、それらが再係合する。
【００４０】
突き上げ部２０の突端が被突き上げ部２７の下に入り、ジャック１８とバット２５が係合すると、演奏者は、離鍵した鍵１を再び押鍵し、ウィッペン８を介して、突き上げ部２０により被突き上げ部２７を突き上げることができる。
つまり、同じ鍵１の後端を押すことにより再度音を出せる状態となる。
【００４１】
この実施形態におけるハンマー３２の特にハンマーヘッド３５について詳述する。なお、この実施形態におけるアップライトピアノのハンマーヘッドはすべて、以下に説明するハンマーヘッド３５となっているが、多数のハンマーヘッドのうちの少なくとも１つを以下に説明するハンマーヘッド３５とし、他のハンマーヘッドを従来のハンマーヘッド３５とすることも、あまり意味は無いが、可能である。
この実施形態のアップライトピアノに含まれるアクションに装着されたハンマー３２の特にハンマーヘッド３５に相当する部分の拡大斜視図を図４（Ａ）、（Ｂ）に、同ハンマーヘッド３５の平面図と側面図と背面図とを図５に、それぞれ示す。
この実施形態におけるハンマーヘッド３５は、上述のように、ハンマーウッド３４及びハンマーフェルト３６とから構成されている。
【００４２】
ハンマーウッド３４は、長さ方向において３つに分けることができる。それは、前端部３４Ａと、接続部３４Ｂと、後端部３４Ｃである。これらについては追って説明するが、前端部３４Ａと、接続部３４Ｂとは、従来のハンマーウッドと同じ構成でも良いこともあり、以下に説明する前端部３４Ａと、接続部３４Ｂとの区別は、便宜上のものであり、それらの境界については、厳格に解する必要はない。
これには限られないが、この実施形態におけるハンマーウッド３４はその全体が木材により構成されており、一体物とされている。また、これには限られないが、この実施形態におけるハンマーウッド３４及びハンマーヘッド３５は、その長さ方向に走る仮想の中心線に対して対称、つまり左右対称に構成されている。
【００４３】
まず、その前端側の前端部３４Ａついて説明する。前端部３４Ａの構成は、上述したように従来のハンマーヘッド３５と変わらないものとすることができ、この実施形態ではそうされている。前端部３４Ａは、そこから前に進むに連れて、その厚さが徐々に薄くなっていく部分である。また、平面視した場合における前端部３４Ａの幅は一定である。前端部３４Ａの縦断面の形状は、その幅方向のすべての部分において、その側面形状に等しくなっている。
前端部３４Ａの前方側の一定の範囲は、その上下を跨ぐようにされたハンマーフェルト３６により覆われている。ハンマーフェルト３６も、従来のハンマーにおけるハンマーフェルト３６と同じで良い。ハンマーフェルト３６は、前端部３４Ａのすべての部分を覆っても良いし、前端部３４Ａの後まで覆っても良いが、一般的には前端部３４Ａの前側の所定の範囲を覆っている。
これには限られないが、この実施形態におけるハンマーフェルト３６は、内側の内ハンマーフェルト３６Ａと、外側の外ハンマーフェルト３６Ｂの２層構造となっている。内ハンマーフェルト３６Ａ、外ハンマーフェルト３６Ｂともにフェルトでできているが、内ハンマーフェルト３６Ａの方が密度が高くなっている。ハンマーフェルト３６が、革等の他の素材でできていても良く、また他の素材を含んで多層構造となっていても良いことは従来と同様である。平面視した場合におけるハンマーフェルト３６の幅は、前端部３４Ａの幅に等しくなっている。
【００４４】
ハンマーウッド３４の前端部３４Ａの後側には接続部３４Ｂが設けられている。
接続部３４Ｂは、ハンマーシャンク３３の上端との接続がなされる部分である。ハンマーシャンク３３とハンマーウッド３４の固定は一般に、ハンマーウッド３４に図示を省略の穴を穿ち、ハンマーシャンク３３の上端をその穴に挿入した状態で接着することにより行われる。これには限られないが、この実施形態でもハンマーシャンク３３とハンマーウッド３４の固定はそのようにして行われている。
ハンマーウッド３４の接続部３４Ｂは、従来のハンマーウッドの接続部３４Ｂと同じ程度の幅と厚さを持つのが好ましい。上述のようにハンマーウッド３４とハンマーシャンク３３とを固定する場合には、ハンマーウッド３４の接続部３４Ｂに穴が穿たれるが、それによるハンマーウッド３４の強度の低下を生じさせないようにするためである。
接続部３４Ｂのその下方については、平面を備えるのが好ましい。接続部３４Ｂの下方に平面があれば、その平面に対するハンマーシャンク３３の取付け角度を調節するだけで、ハンマーシャンク３３に対するハンマーウッド３４の角度を決定できるようになるからである。そして、この実施形態のハンマーウッド３４は、その下方に平面を備えている。必ずしもこの限りではないが、この実施形態の接続部３４Ｂは、ともに平面であり、且つ互いに平行な上面と下面とを備えている。これには限られないが、この実施形態における接続部３４Ｂの上側と下側は、そのすべての部分で平面である。
また、接続部３４Ｂの両側面は、これには限られないが平面であり、且つ互いに平行である。これには限られないが、この実施形態におけるハンマーウッド３４の接続部３４Ｂの両側面は、そのすべての部分で平面である。
【００４５】
なお、ハンマーウッド３４に固定されるハンマーシャンク３３は、この実施形態では、ハンマーウッド３４の接続部３４Ｂの平面である下面に対して、略垂直に取付けられるのが原則である。しかしながら、ハンマーシャンク３３は、ハンマーウッド３４の下面に対して、側面視では略垂直であるが、正面または背面から見た場合に、図５（Ｃ）の二点鎖線のように接続部３４Ｂの下面に対して傾けて取付けられる場合もある。アップライトピアノのアクションにおいてハンマーウッド３４を配列するときの主にはスペース上の理由から、ハンマーウッド３４に対して上述のようなハンマーシャンク３３の取付け方を行う場合があるが、これも周知技術であり、それに倣えば良い。
なお、グランドピアノのハンマーウッド３４の場合には、すべてのハンマー３２において、ハンマーウッド３４の接続部３４Ｂの下面に対して垂直にハンマーシャンク３３が取付けられるのが通常である。
【００４６】
ハンマーウッド３４の接続部３４Ｂの後側には、後端部３４Ｃが設けられている。
後端部３４Ｃは、ハンマーウッド３４のハンマーシャンク３３が取付けられた部分よりも後端寄りの部分である。後端部３４Ｃは従来のハンマーウッドと、特にその形状において明確に異なる。
この実施形態における後端部３４Ｃは、その後方の所定の範囲において（これには限られないが、この実施形態では後端部３４Ｃの長さ方向の後方寄りの２／３程度の部分）、平面視した場合に、後端に向かうに連れて先細るように構成されている。平面視した場合に先細っていくその後方の所定の範囲における両側面は、平面でも良いがいずれも、曲面であり、この実施形態ではやや外側に膨らむ滑らかな曲面とされている。曲面である両側面は、この限りではないが、すべての部分において、接続部３４Ｂの底面に垂直である。曲面である両側面は、後端部３４Ｃの後端において鉛直な一本の辺となって交わる。つまり、この実施形態におけるハンマーウッド３４は、従来技術のハンマーヘッド３５が備えていたが如き後端面を有さない。その結果、この実施形態におけるハンマーウッド３４の後端部３４Ｃの平面視して後ろに向かうに連れて先細って行く部分の形状は、平面視した場合に、飛行機の翼の断面形状の如き形状とされている。
なお、この実施形態では、後端部３４Ｃの後方に向かうに連れて先細る部分は、後端部３４Ｃの長さ方向の後方寄りの２／３程度の部分のみであったが、より前の部分から、例えば後端部３４Ｃの最前側の部分から後端部３４Ｃの最も後端の部分にかけての部分を、後端部３４Ｃの後方に向かうに連れて先細る部分とすることもできる。また、ハンマーシャンク３３をハンマーウッド３４へ固定するために上述の穴を設けることによるハンマーウッド３４の強度の低下をそれ程生じさせないことが条件となるであろうが、もっと前の部分、例えば、接続部３４Ｂ或いは前端部３４Ａのうちのハンマーフェルト３６で覆われていない部分の後の適当な位置から後端部３４Ｃの最も後端の部分にかけての部分を、後端部３４Ｃの後方に向かうに連れて先細る部分とすることもできる。
【００４７】
また、この実施形態におけるハンマーウッド３４における後端部３４Ｃの下側の面は、その全体が、これには限られないが、接続部３４Ｂの下側の面から面一で連なる平面となっている。他方、ハンマーウッド３４における後端部３４Ｃの上側の面は、その全体が後端部３４Ｃの下側の面と平行な平面となっていても構わないが、この実施形態では、これには限られないが、その後端側の所定の範囲に、その後端に向かうに連れて下っていく僅かな傾斜が与えられている。かかる傾斜が与えられた部分における後端部３４Ｃの上側の面は、平面でも良いが滑らかな曲面である。
【００４８】
このような形状を有するハンマーウッド３４は、それを含むハンマーヘッド３５が弦９０に向かって進行していくときにおいて、ハンマーヘッド３５の後端の周囲に空気による乱流が生じにくいものとなっている。
それにより、このハンマーヘッド３５は、弦９０を叩くときに、蛇行することなく、予定されたある平面の中でより理想的な軌道に近い軌道で回転運動を行うことが可能となる。これにより、この実施形態によるアップライトピアノの音は、通常のアップライトピアノの場合に比して良くなる。
なお、この実施形態におけるハンマーウッド３４は、その後端部３４Ｃにおける所定の部分において、その後端に近づくに連れその幅がその直前のハンマーウッドの幅と同じか小さくなり、且つその後端に近づくに連れその厚さがその直前のハンマーウッドの厚さと同じか小さくなるようになっている。これにより、このハンマーウッド３４は、後端部３４Ｃのすべての部分において、乱流を生じるような凹凸を持たないので、上述の効果はより大きくなる。
本願発明者は、この実施形態において説明したハンマーウッド３４を採用したハンマーヘッド３５をアップライトピアノに装着して、超高速度で、鍵１を押したときの状態を撮影してみた。そうすると、上述した通りの効果が確認された。
なお、この実施形態のハンマーヘッド３５、或いはハンマーシャンク３３を含むハンマー３２、又はハンマー３３とバット２５を組合せたものは、既存の例えば販売済みの或いは店舗にあるアップライトピアノの同部品に対して置換することが可能である。また、この実施形態のハンマーヘッド３５、或いはハンマーシャンク３３を含むハンマー３２は、既存のグランドピアノの同部品に対して置換することが可能である。そうすることにより、既存のピアノの音を向上させることができる。グランドピアノにハンマー３２を応用する場合には、公知のハンマーシャンクローラをハンマーシャンクに追加することももちろん可能である。
【００４９】
上述した従来のハンマーウッドとはその後端部３４Ｃの形状が異なるこの実施形態におけるハンマーウッド３４は、以下に説明する変形例のハンマーウッド３４に置き換えることも可能である。それらは、主にその後端部３４Ｃの形状、及び場合によってはその接続部３４Ｂの形状のみが、上述したハンマーウッド３４とは異なるものである。
それらによる、ハンマーヘッド３５が、弦９０を叩くときに、蛇行することなく、予定されたある平面の中でより理想的な軌道に近い軌道で回転運動を行うことが可能となるという効果は、上述のハンマーウッド３４を採用したハンマーヘッド３５を用いる場合に比べて若干劣る可能性もあるが、それでもなお従来の直方体形状の後端部を有するハンマーウッドを採用したハンマーヘッドを用いた場合に比べれば、十分な効果を奏する。
以下に、ハンマーウッド３４の幾つかの変形例について説明するが、特に言及しない場合においては、変形例におけるハンマーウッド３４の構成は、第１実施形態のハンマーウッド３４に同じである。
【００５０】
［変形例１］
変形例１のハンマーウッド３４の接続部３４Ｂと後端部３４Ｃとを拡大して図６に示す。
図６に示したように変形例１のハンマーウッド３４も第１実施形態と同様に、平面視した場合に、その後端部３４Ｃの幅が後ろに向かうに連れて徐々に細くなるように構成されている。
ただし、変形例１のハンマーウッド３４の場合には、その後端に、ハンマーウッド３４の長さ方向に直交するとともに、上下方向に伸びる細長い矩形の平面である後端平面３４Ｘが存在する。これは従来のハンマーウッドに存在した後端平面に類似するが、その面積は、ハンマーウッド３４のハンマーシャンク３３と接続されている部分のハンマーウッド３４の長手方向に直交する断面の断面積よりも遥かに小さい。
変形例１のハンマーウッド３４の場合においても、平面視した場合にその幅が後ろに向かうに連れて徐々に細くなる部分における両側面は、接続部３４Ｂの底面にすべての部分で垂直である。また、変形例１では、平面視した場合にその幅が後ろに向かうに連れて徐々に細くなる部分の両側面は、第１実施形態の場合と同様に滑らかな曲面である。また、変形例１では、平面視した場合にその幅が後ろに向かうに連れて徐々に細くなる部分は、接続部３４Ｂにまで及んでいる。
変形例１のハンマーウッド３４の平面視した場合にその幅が後ろに向かうに連れて徐々に細くなる部分の上面には、そのすべての部分において厚さが一定であり、第１実施形態の場合において当該部分の後端側の所定の範囲に与えられていた、その後端に向かうに連れて下っていく僅かな傾斜が与えられていない。
【００５１】
［変形例２］
変形例２のハンマーウッド３４の接続部３４Ｂと後端部３４Ｃとを拡大して図７に示す。
図７に示したように変形例２のハンマーウッド３４も第１実施形態と同様に、平面視した場合に、その後端部３４Ｃの幅が後ろに向かうに連れて徐々に細くなるように構成されている。
ただし、変形例２のハンマーウッド３４の場合には、その後端に、変形例１の場合と同様に、ハンマーウッド３４の長さ方向に直交するとともに、上下方向に伸びる細長い矩形の平面である後端平面３４Ｘが存在する。後端平面３４Ｘの面積は、ハンマーウッド３４のハンマーシャンク３３と接続されている部分のハンマーウッド３４の長手方向に直交する断面の断面積よりも遥かに小さい。
変形例２のハンマーウッド３４の場合においても、平面視した場合にその幅が後ろに向かうに連れて徐々に細くなる部分における両側面は、接続部３４Ｂの底面にすべての部分で垂直である。また、変形例２では、平面視した場合にその幅が後ろに向かうに連れて徐々に細くなる部分の両側面は、滑らかな面ではあるが第１実施形態の場合とは異なり平面である。また、変形例２では、平面視した場合にその幅が後ろに向かうに連れて徐々に細くなる部分は、接続部３４Ｂにまで及んでいる。
変形例２のハンマーウッド３４においても、平面視した場合にその幅が後ろに向かうに連れて徐々に細くなる部分の上面の後端側の所定の範囲には、第１実施形態の場合と同様に、その後端に向かうに連れて下っていく僅かな傾斜が与えられている。もっともこの傾斜が与えられている部分は、第１実施形態のように曲面ではなく、平面である。また、変形例２のハンマーウッド３４の平面視した場合にその幅が後ろに向かうに連れて徐々に細くなる部分の下面の後端側の所定の範囲には、第１実施形態の場合とは異なり、その後端に向かうに連れて上っていく僅かな傾斜が与えられている。この実施形態では、後端部３４Ｃの上面に与えられた下向きの傾斜と後端部３４Ｃの下面に与えられた上向きの傾斜とは上下対称となっているが、これは必ずしも対称である必要がない。第１実施形態のハンマーウッド３４の後端部３４Ｃの下面にも、同様の上向きの傾斜を与えることが可能である。
【００５２】
［変形例３］
変形例３のハンマーウッド３４の接続部３４Ｂと後端部３４Ｃとを拡大して図８に示す。
図８に示したように変形例３のハンマーウッド３４も第１実施形態と同様に、平面視した場合に、その後端部３４Ｃの後側の所定の範囲の幅が後ろに向かうに連れて徐々に細くなるように構成されている。
もっとも、変形例３のハンマーウッド３４の幅が後ろに向かうに連れて徐々に細くなるように構成されている後端部３４Ｃの後側の所定の範囲の形状は、第１実施形態の場合と大きく異なる。
変形例３の場合においては、当該部分は、後端に向かって凸の直角三角形の回転体である円錐形状をしている。円錐形状となっている部分は、接続部３４Ｂに及んでいないが、これは必ずしもこの限りではない。
【００５３】
［変形例４］
変形例４のハンマーウッド３４の接続部３４Ｂと後端部３４Ｃとを拡大して図９に示す。
図９に示したように変形例４のハンマーウッド３４も第１実施形態と同様に、平面視した場合に、その後端部３４Ｃの後側の所定の範囲の幅が後ろに向かうに連れて徐々に細くなるように構成されている。
もっとも、変形例４のハンマーウッド３４の幅が後ろに向かうに連れて徐々に細くなるように構成されている後端部３４Ｃの後側の所定の範囲の形状は、第１実施形態の場合と大きく異なる。
変形例４の場合においては、当該部分は、後端に向かって凸の半球形状をしている。半球形状となっている部分は、接続部３４Ｂに及んでいないが、これは必ずしもこの限りではない。
【符号の説明】
【００５４】
３２  ハンマー
３３  ハンマーシャンク
３４  ハンマーウッド
３５  ハンマーヘッド
３６  ハンマーフェルト
３４Ａ  前端部
３４Ｂ  接続部
３４Ｃ  後端部
【図１】
0006719102.tif 000002
【図２】
0006719102.tif 000003
【図３】
0006719102.tif 000004
【図４（Ａ）】
0006719102.tif 000005
【図４（Ｂ）】
0006719102.tif 000006
【図５】
0006719102.tif 000007
【図６】
0006719102.tif 000008
【図７】
0006719102.tif 000009
【図８】
0006719102.tif 000010
【図９】
0006719102.tif 000011
【図１０】
0006719102.tif 000012